(57)【要約】【課題】  リモコン操作の使い勝手を向上させつつ小型化を図ることができるビデオカメラを提供することである。【解決手段】  ビデオカメラの前面にカメラレンズを配置し、ビデオカメラの前面であってカメラレンズより下にマイクを配置し、ビデオカメラの前面であってカメラレンズ及びマイクの横に受光器を配置し、リモコン受光器を前記マイクの配置面と略同じ面上に配置する。さらに、受光器をカメラレンズより低くマイクより高い位置に配置する。さらに、リモコン受光器と撮影中であることを表示するタリーランプを縦に並べて配置する。【選択図】  図１
2005191990.tif 000002
【特許請求の範囲】
【請求項１】
映像及び音声を記録するビデオカメラにおいて、
リモートコントローラからの照射光を受光する受光器と、
映像を取り込むカメラレンズと、
音声を集音するマイクと、を備え、
前記ビデオカメラの前面に前記カメラレンズを配置し、前記ビデオカメラの前面であって前記カメラレンズより下に前記マイクを配置し、前記ビデオカメラの前面であって前記カメラレンズ及び前記マイクの横に前記受光器を配置し、前記受光器を前記マイクの配置面と略同じ面上に配置したことを特徴とするビデオカメラ。
【請求項２】
請求項１記載のビデオカメラにおいて、前記受光器を前記カメラレンズより低く前記マイクより高い位置に配置したことを特徴とするビデオカメラ。
【請求項３】
請求項１乃至２記載のビデオカメラにおいて、前記受光器と撮影中であることを表示するタリーランプを縦に並べて配置したことを特徴とするビデオカメラ。
【請求項４】
請求項１乃至３記載のビデオカメラにおいて、前記受光器は赤外線を透過し可視光線を遮るＩＲフィルターと受光センサーが搭載された基板とを備え、前記ＩＲフィルターの側面が外側に露出するよう構成したことを特徴とするビデオカメラ。
【請求項５】
映像及び音声を記録するビデオカメラにおいて、
リモートコントローラからの照射光を受光する受光器と、
映像を取り込むカメラレンズと、
音声を集音するマイクと、
記録媒体を収納し、前記記録媒体に前記カメラレンズで取り込んだ映像と前記マイクで集音した音声を記録するドライブを備え、
前記ビデオカメラの前面に前記カメラレンズを配置し、前記ビデオカメラの前面であって前記カメラレンズより下に前記マイクを配置し、前記受光器を前記ビデオカメラの前面であって前記カメラレンズと前記マイクより前記ドライブ側にずらして配置し、前記カメラレンズの上部が前記ドライブの上部より低いことを特徴とするビデオカメラ。
【発明の詳細な説明】
【技術分野】
【０００１】
本発明は、ビデオカメラに関し、特にリモートコントローラ（以下、単に「リモコン」と称する）の受光器を備えたビデオカメラに関するものである。
【背景技術】
【０００２】
近年、モバイル製品は小型化の要求が益々強くなっており、ビデオカメラにおいても小型化は必須となっている。一般に、小型化のために必要な技術要素は、内部構成部品の小型化と効率のよい部品配置である。また小型化によりセット表面積が狭まるため、各種の操作ボタン、接続端子類の配置も重要となる。従来のビデオカメラの構成は、カメラレンズ部やマイク部を備えるフロント側、開閉回転可能な液晶表示部を備える表示側、記録装置を囲うケースからなるドライブ側、ビューファインダーとバッテリー取付け部を備えるリヤ側に別れ、各種の操作ボタン、接続端子類は主要構成部品と干渉しない位置に配置される。例えば、フロント側の配置では、上から順にカメラレンズ、マイク、リモコン受光器及び撮影中であることを表示するためのタリーランプ、ジャック端子類が配置され高さ方向に積み上げた構成となっている。（例えば、特許文献１、図８参照）
ここで、カメラレンズ、マイク、リモコン受光、タリーランプは、被写体側に向ける必要があり、その機能を満足させるためにフロント側に配置すべきものである。尚、ジャック端子類においても小型化、使い勝手のためには、フロント側もしくはドライブ側の前方または底面側よりに配置するのが望ましい。また、製品の高さ方向の小型化は幅や長さよりも視覚的効果が大きいため、フロント側の効率の良い部品配置は製品の小型化にとってより重要なものとなっている。
【０００３】
しかしながら、上記記載のビデオカメラにおいては、フロント側の構成部品であるカメラレンズ、マイク、リモコン受光器、タリーランプ、ジャック端子類を上から順に配置し、高さ方向に積み上げた構成となっているため自ずと製品の高さが決まってしまい、製品の高さを低くすることができないという問題があった。また、製品を更に小型化していくためには各構成部品の小型化も考えられるが、元々小型部品を使用しており、この方法では限界がある。
【０００４】
この問題を解決する手段としての従来技術では、上記記載のフロント側の構成部品すべてを高さ方向に積み上げた構成にするのではなく、その中の一つもしくは複数の部品、例えばリモコン受光器を高さ方向に積み上げた構成の並びから外し、他の構成部品の横に配置することで、リモコン受光器が占有していた高さを減少させ、製品高さ、小型化を図っている。（例えば、非特許文献１、２参照）
【０００５】
【特許文献１】特開２００１-１１１８７７号公報
【非特許文献１】日本ビクター株式会社、「ＧＲ−Ｄ９０Ｋ／ＧＲ−Ｄ７０Ｋ、取扱説明書」ｐ．４２
【非特許文献２】ＳＯＮＹ株式会社、「ＤＣＲ−ＴＲＶ７０Ｋ、取扱説明書」ｐ．１６７
【発明の開示】
【発明が解決しようとする課題】
【０００６】
しかしながら、上記非特許文献１記載の従来技術では、リモコン受光器をマイク部の横近傍（ドライブ側）に配置してあるが、マイク部の配置面から奥まった位置に配置されている。このため、表示側からリモコンを操作しようとした場合には、マイク部及び外装筐体がリモコンの信号を遮る構成となるため、表示側からのリモコン操作が出来にくい、あるいは出来なくなる場合があり、使い勝手が悪くなるという問題があった。
【０００７】
また、上記非特許文献２記載の従来技術では、リモコン受光器をカメラレンズ部の横近傍（ドライブ側）に配置してあり、表示側からリモコンを操作しようとした場合、カメラレンズ部の鏡筒部がリモコンの信号を遮る構成となるため、表示側からのリモコン操作が出来にくい、あるいは出来なくなる場合があり、使い勝手が悪くなるという問題があった。
【０００８】
本発明の目的は、リモコン操作の使い勝手を向上させつつ小型化を図ることができるビデオカメラを提供することである。
【課題を解決するための手段】
【０００９】
上記目的を達成するため、本発明では、映像及び音声を記録するビデオカメラにおいて、リモートコントローラからの照射光を受光する受光器と、映像を取り込むカメラレンズと、音声を集音するマイクと、を備え、前記ビデオカメラの前面に前記カメラレンズを配置し、前記ビデオカメラの前面であって前記カメラレンズより下に前記マイクを配置し、前記ビデオカメラの前面であって前記カメラレンズ及び前記マイクの横に前記受光器を配置し、前記受光器を前記マイクの配置面と略同じ面上に配置する。
【発明の効果】
【００１０】
本発明によれば、リモコン操作の使い勝手を向上させつつビデオカメラの小型化を図ることができる。
【発明を実施するための最良の形態】
【００１１】
以下、本発明によるビデオカメラの一実施例を図１から図４を用いて説明する。
【実施例１】
【００１２】
本発明を適用した実施例として、ビデオカメラの構成を、図面を用いて説明する。図１は、ビデオカメラのフロント側、ドライブ側、表示側を示す図である。図２はビデオカメラの前方斜視図である。図３はビデオカメラの後方斜視図である。図４は画像等を表示するためのＬＣＤ（Ｌｉｑｕｉｄ  Ｃｒｙｓｔａｌ  Ｄｉｓｐｌａｙ）を開いたときのビデオカメラの斜視図である。なお、以下の説明において、高さ方向、幅方向、長さ方向、上側、下側、ドライブ側、表示側、フロント側及びリヤ側とは、図１に示したとおりである。
【００１３】
本実施例によるビデオカメラは、図１〜図４に示すとおり、カメラレンズ部１、マイク２、リモコン受光器３、タリーランプ４、ジャック端子類５から構成されるフロント側と、ＬＣＤ６、ＬＣＤ支点部７、本体ケース８等で構成される表示側と、ドライブ部９、ドライブカバー１０等で構成されるドライブ側と、ＥＶＦ（Ｅｌｅｃｔｒｉｃ  Ｖｉｅｗ  Ｆｉｎｄｅｒ）１１等で構成されるリヤ側とで構成されている。なお、カメラレンズ部１は、レンズとＣＣＤ（Ｃｈａｒｇｅ  Ｃｏｕｐｌｅｄ  Ｄｅｖｉｃｅ）を有している。本実施例では、レンズ径は３７ｍｍであり、ＣＣＤは１００万画素を超える画素数を有しているものとする。
【００１４】
映像と音声はカメラレンズ部１、マイク２を通じて撮影及び集音される。カメラレンズ部１の前に装着されているフード１２はフロントケース１３とのネジ式により取付け可能になっており、光学的性能を変更したいときは、フード１２を外してコンバージョンレンズを装着することが可能になっている。なお、本実施例において、レンズ径は３７ｍｍである。
【００１５】
ＥＶＦ１１、ＬＣＤ６は撮影時、再生時に映像を表示する。ＬＣＤ６はＬＣＤ支点部７を支点に開閉、回転させることができ、使用状態に適した任意の角度に調整可能となっている。ＬＣＤ６が閉じているときに隣接する面には主に再生時に使用する再生操作ボタン１４が配置され、ＬＣＤ６を開いた時に現れる面には主に撮影時に操作する撮影操作ボタン１５が配置されている。電源の入切と動画モードと静止画モードの切替えは、モード切替えノブ１６を操作することにより行う。撮影のスタート／ストップは、撮影ボタン１７を操作することにより行う。また、リモコンによって撮影のスタート／ストップを操作することもできる。リモコンから撮影のスタート／ストップを指示する光をリモコン受光器３に向かって照射することでリモコン受光器３はその光を検出し、撮影を行うことになる。
【００１６】
ドライブ部９は記録メディアに撮影した映像を記録するドライブ（図示せず）を有している。記録メディアを交換する際には、取出しノブ１８を操作することで、ドライブカバー１０が下側を支点として回動して開き（図示せず）、上側から記録メディアを取出し、交換することができるようになっている。
【００１７】
次に、リモコン受光器３の配置について説明する。フロント側を、カメラレンズ部１、マイク２、ジャック端子類５を上から順に並べ、高さ方向に積み上げた構成とする。また、リモコン受光器３をカメラレンズ部１及びマイク２の横に配置し、かつフロント側のマイク２の配置面と略同じ面上に配置する。カメラレンズ部１の鏡筒及びマイク２、及びフロント部の外装筐体であるフロントケース１３によって、リモコンからの照射光を遮ることがなくなる為、表示側からのリモコン受光性能を向上させることが出来、使い勝手が向上すると共に製品の小型化を図ることができる。
【００１８】
また、リモコン受光器３とタリーランプ４を高さ方向に並べて配置する。この配置により、タリーランプ４をカメラレンズ部１及びマイク２の横に配置することになるので更なる製品の小型化を図ることが出来る。
【００１９】
また、リモコン受光器９の幅をドライブ部９の幅より小さくする。従って、リモコン受光器９がドライブ部９に対して幅方向に突出することがなくなり、ビデオカメラの美観を損なうことがない。
【００２０】
また、リモコン受光器３の上下位置をカメラレンズ部１及びマイク２の間となるよう配置する。この配置により、カメラレンズ部１及びマイク２でリモコンから照射される光が遮られることを防げ、リモコン操作の使い勝手がさらに向上する。
【００２１】
また、フロント側にカメラレンズ部１を配置し、その下にマイク２を配置し、リモコン受光器３をカメラレンズ部１とマイク２よりドライブ部９側にずらして配置することで、し、カメレレンズ部１のＣＣＤが１００万画素を超え、レンズ径が大きくなっても、カメラレンズ部１の上部をドライブ部９の上部より低く配置することができる。
【００２２】
リモコン受光器３の構成の詳細を図５を用いて説明する。図４は、リモコン受光器分解図を示す。リモコン受光器３は赤外線を透過し可視光線を遮るＩＲフィルター１９と受光センサー２１が搭載されたリモコンセンサー基板２０からなる。リモコンから発信された信号はＩＲフィルター１９を透過し、リモコンセンサー基板２０上の受光センサー２１に到達する。リモコン受光性能の一つである受光角度を確保するためには受光センサー２１そのものの仕様も影響するが、ＩＲフィルター１９の間口広さも影響する。受光角度として左右角を拡大していくためには左右方向の幅が必要になってくる。本発明によるＩＲフィルター１９はカメラレンズ部１及びマイク部２よりドライブ側に配置しているため左右方向の幅を広く取るとドライブ部よりはみ出してしまうこととなり製品幅を大型化してしまう。これを回避するためＩＲフィルタ１９は前記ＩＲフィルタ１９正面だけでなく側面も外側に露出することで不足する左右方向の幅を確保するようになっている。
【００２３】
前記リモコン受光器は赤外線を透過し可視光線を遮るＩＲ（赤外線）フィルターと受光センサーが搭載された基板からなり、ＩＲフィルターの側面もしくは両側面が外側に露出するよう構成したことを特徴とする。ＩＲフィルターはカメラレンズ部及びマイク部よりドライブ側に配置しているため受光角度を満足させるために左右方向の幅を広く取るとドライブ部よりはみ出してしまうこととなり製品幅を大型化してしまう。前記構成により、この問題を回避でき、前記ＩＲフィルタの正面だけでなく側面も外側に露出することで不足する左右方向の幅を確保することができる。
【図面の簡単な説明】
【００２４】
【図１】ビデオカメラのフロント側、ドライブ側、表示側を示す図
【図２】ビデオカメラの前方斜視図
【図３】ビデオカメラの後方斜視図
【図４】ビデオカメラのＬＣＤ部を開いたときの斜視図
【図５】ビデオカメラのリモコン受光器の分解図
【符号の説明】
【００２５】
１  カメラレンズ部
２  マイク部
３  リモコン受光器
４  タリーランプ
５  ジャック端子類
６  ＬＣＤ部
７  ＬＣＤ支点部
８  本体ケース
９  ドライブ部
１０  ドライブカバー
１１  ＥＶＦ部
１２  フード
１３  フロントケース
１４  再生操作ボタン
１５  撮影操作ボタン
１６  モード切替えノブ
１７  撮影ボタン
１８  取出しノブ
１９  ＩＲフィルター
２０  リモコンセンサー基板
２１  受光センサー
【図１】
2005191990.tif 000003
【図２】
2005191990.tif 000004
【図３】
2005191990.tif 000005
【図４】
2005191990.tif 000006
【図５】
2005191990.tif 000007